(57)【要約】【課題】アドレス帳機能を用いて通信を行う際において、所定の通信手順に先立って、宛先における現在の状況に係るプレゼンス情報を把握する。【解決手段】表示制御部７７は、プレゼンス情報取得部７３によってアドレス帳の登録宛先に係るプレゼンス情報が取得されたとき、当該取得された登録宛先に係るプレゼンス情報を、アドレス帳の登録宛先のうち該当する宛先に関連付けてタッチパネル部５３の表示画面上に表示させる。ユーザは、アドレス帳上の登録宛先のうち該当する宛先に関連付けて表示されたプレゼンス情報を視ることで、登録宛先における現在の状況を一見して容易に把握することができる。【選択図】  図２
2008252505.tif 000002
【特許請求の範囲】
【請求項１】
宛先に係るアドレス情報が登録されるアドレス帳機能と、ＩＰ通信網を介して前記宛先と通信を行うＩＰ通信機能と、を有する通信装置であって、
前記アドレス帳に登録された登録宛先に係るアドレス情報を表示画面上に表示可能な表示手段と、
前記登録宛先における現在の状況に係るプレゼンス情報を取得するプレゼンス情報取得手段と、
前記プレゼンス情報取得手段によって登録宛先に係るプレゼンス情報が取得されたとき、当該取得された登録宛先に係るプレゼンス情報を、前記アドレス帳の登録宛先のうち該当する宛先に関連付けて前記表示画面上に表示させる制御を行う表示制御手段と、
を備えて構成されることを特徴とする通信装置。
【請求項２】
請求項１記載の通信装置であって、
前記プレゼンス情報取得手段は、中継サーバを介して前記登録宛先と間接的に通信を行うことにより、当該登録宛先における現在の状況に係るプレゼンス情報を取得する
ことを特徴とする通信装置。
【請求項３】
請求項１記載の通信装置であって、
前記プレゼンス情報取得手段は、前記登録宛先と直接通信を行うことにより、当該登録宛先における現在の状況に係るプレゼンス情報を取得する
ことを特徴とする通信装置。
【請求項４】
請求項１〜３のうちいずれか一項に記載の通信装置であって、
前記プレゼンス情報取得手段は、当該装置の起動時、前記登録宛先における現在の状況が変化した時、又は、間欠的な時間タイミングのうち１又は２以上の組み合わせに係る時点をもって、前記登録宛先との間で通信を行うことにより、当該登録宛先における現在の状況に係るプレゼンス情報を取得する
ことを特徴とする通信装置。
【請求項５】
請求項１〜４のうちいずれか一項に記載の通信装置であって、
前記プレゼンス情報取得手段は、前記アドレス帳に登録されている全ての登録宛先との間で通信を行うことにより、当該全ての登録宛先における現在の状況に係るプレゼンス情報を取得する
ことを特徴とする通信装置。
【請求項６】
請求項１〜５のうちいずれか一項に記載の通信装置が搭載された画像形成装置であって、当該通信装置を、ＩＰ通信網上の前記登録宛先における現在の状況に係る管理に適用した
ことを特徴とする画像形成装置。
【発明の詳細な説明】
【技術分野】
【０００１】
本発明は、アドレス帳機能を有する通信装置に係り、特に、アドレス帳機能を用いて通信を行う際において、宛先における現在の状況に係るプレゼンス情報を把握可能な通信装置、及びかかる通信装置を搭載した画像形成装置に関する。
【背景技術】
【０００２】
従来より、例えば、スキャナ・プリンタ・ファクシミリ機能を有する複合機やファクシミリ装置において、アドレス帳機能を有するものが知られている。これらの機器では、宛先に係る電話番号、Fax番号、又はメールアドレス等のアドレス情報を予め登録しておき、登録された複数の宛先のなかからユーザが所要の宛先を選択すると、それに応答した宛先アドレス情報が提示される。
【０００３】
かかるアドレス帳機能を有する通信装置の一例として、第一のアドレス情報が保存される記憶手段と、リムーバブルメディアに記録された情報にアクセスするアクセス手段と、所定の情報を表示する表示手段とを有する通信装置であって、前記リムーバブルメディアに記録された第二のアドレス情報を前記第一のアドレス情報と共に前記表示手段に表示させ、表示されたアドレス情報の中から選択された宛先を送信先とするものが提案されている（特許文献１参照）。特許文献１の技術によれば、ユーザにとって利便性の高いアドレス帳機能を有する通信装置を得ることができる。
【０００４】
しかしながら、特許文献１の技術では、アドレス帳機能を用いて通信を行う際において、宛先における現在の状況を把握することはできなかった。
【０００５】
【特許文献１】特開２００７−５３６３０号公報
【発明の開示】
【発明が解決しようとする課題】
【０００６】
解決しようとする問題点は、アドレス帳機能を用いて通信を行う際において、宛先における現在の状況を把握することはできなかった点である。
【課題を解決するための手段】
【０００７】
本発明は、アドレス帳機能を用いて通信を行う際において、所定の通信手順に先立って、宛先における現在の状況に係るプレゼンス情報を把握することを目的として、宛先に係るアドレス情報が登録されるアドレス帳機能と、ＩＰ通信網を介して前記宛先と通信を行うＩＰ通信機能と、を有する通信装置であって、前記アドレス帳に登録された登録宛先に係るアドレス情報を表示画面上に表示可能な表示手段と、前記登録宛先における現在の状況に係るプレゼンス情報を取得するプレゼンス情報取得手段と、前記プレゼンス情報取得手段によって登録宛先に係るプレゼンス情報が取得されたとき、当該取得された登録宛先に係るプレゼンス情報を、前記アドレス帳の登録宛先のうち該当する宛先に関連付けて前記表示画面上に表示させる制御を行う表示制御手段と、を備えて構成されることを最も主要な特徴とする。
【発明の効果】
【０００８】
本発明に係る通信装置は、宛先に係るアドレス情報が登録されるアドレス帳機能と、ＩＰ通信網を介して前記宛先と通信を行うＩＰ通信機能と、を有する通信装置であって、前記アドレス帳に登録された登録宛先に係るアドレス情報を表示画面上に表示可能な表示手段と、前記登録宛先における現在の状況に係るプレゼンス情報を取得するプレゼンス情報取得手段と、次述する表示制御手段と、を備え、表示制御手段は、前記プレゼンス情報取得手段によって登録宛先に係るプレゼンス情報が取得されたとき、当該取得された登録宛先に係るプレゼンス情報を、前記アドレス帳の登録宛先のうち該当する宛先に関連付けて前記表示画面上に表示させる制御を行うので、従って、ユーザは、アドレス帳機能を用いて通信を行う際において、所定の通信手順に先立って、アドレス帳上の登録宛先のうち該当する宛先に関連付けて表示されたプレゼンス情報を視ることで、登録宛先における現在の状況を一見して容易に把握することができる。
【発明を実施するための最良の形態】
【０００９】
アドレス帳機能を用いて通信を行う際において、所定の通信手順に先立って、宛先における現在の状況に係るプレゼンス情報を把握するといった目的を、プレゼンス情報取得手段によって登録宛先に係るプレゼンス情報が取得されたとき、当該取得された登録宛先に係るプレゼンス情報を、アドレス帳の登録宛先のうち該当する宛先に関連付けて前記表示画面上に表示させる制御を行う表示制御手段により実現した。
【実施例】
【００１０】
以下、本発明に係る通信装置及び画像形成装置について、図面を参照しつつ詳細に説明する。なお、以下において、本発明に係る通信装置の一例として、通信装置を、画像形成装置に組み込み搭載し、ＩＰ通信網上の登録宛先における現在の状況に係る管理に適用した例をあげて説明してゆく。
【００１１】
［通信装置が搭載された画像形成装置］
図１は、本発明に係る通信装置が搭載された画像形成装置の概略ブロック図を示す。
【００１２】
本画像形成装置１０は、印刷出力、ファックス送信、メール送信、及びデータ送信機能が利用可能であり、マイクロコンピュータ及び専用のハードウェア回路等から構成される主制御部１１によって制御される。この主制御部１１に接続され諸機能を担う入出力機器として、本装置１０は、スキャナ部２１、画像処理部３１、エンジン部４１、操作パネル部５１、ファクシミリ通信部６１、ＨＤＤ（ハードディスクドライブ）６３、並びにＩＰ通信部６５を備える。
【００１３】
主制御部１１は、スキャナ機能を実現するための動作制御を行うスキャナコントローラ１３と、ファクシミリ機能を実現するための動作制御を行うファクシミリコントローラ１５、プリンタ機能を実現するための動作制御を行うプリンタコントローラ１７、並びに、コピー機能を実現するための動作制御を行うコピーコントローラ１９を内蔵し、本装置全体の動作を統括制御する。
【００１４】
スキャナ部２１は、図示しないスキャナを構成する画像照射ランプ２３及びＣＣＤ（電荷結合素子：Charge  Coupled  Device）センサー２５を含む。スキャナ部２１は、画像照射ランプ２３により原稿を照射し、その反射光をＣＣＤセンサー２５で受光することにより、原稿から画像を読み取り、読み取った画像に対応する画像データを画像処理部３１へ出力する。
【００１５】
画像処理部３１は、補正部３３、画像加工部３５及び画像メモリ３７を含む。画像処理部３１は、スキャナ部２１で読み取られた画像データを必要に応じて補正部３３及び画像加工部３５により処理し、処理された画像データを画像メモリ３７に記憶したり、エンジン部４１、ファクシミリ通信部６１等へ出力する。補正部３３は、スキャナ部２１で読み取られた画像データに対してレベル補正、Ｙ補正等の所定の補正処理を行う。画像加工部３５は、画像データの圧縮又は伸張処理、及び拡大又は縮小処理等の種々の加工処理を行う。
【００１６】
エンジン部４１は、図示しない給紙カセットや給紙ローラ等から構成される用紙搬送部４３、図示しない感光体ドラム、露光装置、現像装置等から構成される画像形成部４５、図示しない転写ローラ等から構成される転写部４７、及び図示しない定着ローラ等から構成される定着部４９を含む。エンジン部４１は、スキャナ部２１で読み取られた画像データ、ネットワークＩ／Ｆ部６５を介してＬＡＮ（Local  Area  Network）によりクライアントＰＣ（パーソナルコンピュータ）等から送信された画像データ、ファクシミリ通信部６１を用いて外部のファクシミリ装置等から受信したファクスデータ等の画像データを用いて画像を用紙に印刷する。具体的には、用紙搬送部４３は用紙を画像形成部４５へ搬送し、画像形成部４５は上記の画像データに対応するトナー像を形成し、転写部４７はトナー像を用紙に転写し、定着部４９はトナー像を用紙に定着させて画像を形成する。
【００１７】
操作パネル部５１は、タッチパネル部５３及び操作キー部５５を含む。操作パネル部５１は、ユーザがスキャナ機能、ファクシミリ機能、プリンタ機能、コピー機能等に関する操作を行うために使用され、ユーザによる操作指令等を主制御部１１に与える。
【００１８】
タッチパネル部５３（本発明の「表示手段」に相当する。）は、タッチパネルとカラーＬＣＤ（Liquid  Crystal  Display）とを組み合わせたタッチパネルユニット等から構成され、種々の操作画面、例えば、コピー機能実行時には、原稿サイズ、コピーサイズ、複写部数等に関する情報を表示するとともに、ユーザが該当部分をタッチすることにより種々の操作指令を入力するための操作ボタン類を表示する。また、タッチパネル部５３は、アドレス帳の登録宛先における現在の状況に係るプレゼンス情報を、該当する登録宛先に関連付けてアイコン等によって表示する際に用いられる。
【００１９】
操作キー部５５は、ユーザの操作入力を受付けるための複数の操作キーを備えており、例えば、コピー機能、プリンタ機能、スキャナ機能、ファクシミリ機能など諸機能のなかから、所要機能のキー入力操作をユーザが選択的に実行する際に、又は、ユーザが複写部数やコピー実行指令などを操作入力する際に用いられる。
【００２０】
ファクシミリ通信部６１は、符号化／復号化部（図示省略）、変復調部（図示省略）及びＮＣＵ（Network  Control  Unit）（図示省略）を含む。ファクシミリ通信部６１は、スキャナ部２１によって読み取られた原稿の画像データを電話回線を介してファクシミリ装置等へ送信したり、ファクシミリ装置等から送信された画像データを受信する。
【００２１】
ＨＤＤ（ハードディスクドライブ）６３は、スキャナ部２１によって読み取られた画像データ及び同画像データに設定されている出力形式等の種々のデータ等を記憶する。ＨＤＤに記憶されている画像データは、画像形成装置、プログラム及び記録媒体内部で使用されるだけでなく、必要に応じて、ＩＰ通信部６５を介してクライアントＰＣ等から確認したり、クライアントＰＣやＦＴＰサーバ等の所定のフォルダへ転送される。
【００２２】
ＩＰ通信部６５は、ネットワークインタフェース（１０／１００Ｂａｓｅ−ＴＸ）等を用い、ネットワークを介して接続されたクライアントＰＣ等に対する種々のデータの送受信を制御する。具体的には、ＩＰ通信部６５は、T.37勧告に準拠したものであり、例えば事業所内に構築されたローカルエリアネットワーク（ＬＡＮ）６７に接続されている。そして、ＩＰ通信部６５は、ＬＡＮ６７を介して、中継サーバ６９、クライアント端末７０，７１に接続されている。
【００２３】
なお、クライアント端末７０，７１としては、ＬＡＮ等のＩＰ通信網を介して通信を行う機能を有するものであれば、いかなる機器をも採用することができる。具体的には、クライアント端末としては、例えば、電子メール通信機能がインストールされたパーソナルコンピュータ、ＩＰ電話、携帯電話等の携帯端末、或いは、ファクシミリ装置であってもよい。
【００２４】
アドレス帳に登録された登録宛先における現在の状況に係るプレゼンス情報を取得するとともに、取得したプレゼンス情報を、アドレス帳における該当の登録宛先に関連付けて表示するために、主制御部１１は、アドレス帳に登録された登録宛先における現在の状況に係るプレゼンス情報を取得するためのプレゼンス情報取得部（本発明の「プレゼンス情報取得手段」に相当する。）７３と、宛先に係る電話番号、Fax番号、又はメールアドレス等のアドレス情報が登録されるアドレス情報記憶部７５と、プレゼンス情報取得部７３によって登録宛先に係るプレゼンス情報が取得されたとき、当該取得された登録宛先に係るプレゼンス情報を、アドレス帳の登録宛先のうち該当する宛先に関連付けてタッチパネル部５３の表示画面上に表示させる制御を行う表示制御部（本発明の「表示制御手段」に相当する。）７７と、を含んで構成されている。
【００２５】
［通信装置が搭載された画像形成装置の動作］
図２は、本発明に係る通信装置が搭載された画像形成装置の通信シーケンスを示し、図３は、アドレス帳への登録宛先に係るプレゼンス情報表示例を示す。
【００２６】
はじめに、本発明に係る通信装置は、ＩＭ（Ｉｎｓｔａｎｔ  Ｍｅｓｓａｇｉｎｇ）と呼ばれる通信技術を適用したものである。ここで、ＩＭの概略について述べると、例えば、ある宛先と会話をしたい場合に、電話するほどの用件ではないが、電子メールだと相手がいつ電子メールを読むのか、すなわち、リプライがいつ戻ってくるのかが分からない。ＩＭは、この中間の時間的特性を持っている。ＩＭでは、オンライン／オフラインや応答可否などの自身の現在状況（プレゼンス情報）を公開する。これにより、ＩＰ通信網上で同じＩＭシステムを利用している相手方のプレゼンス情報を取得することができる。なお、通信プロトコルとしては、例えば、SIMPLE (SIP Instant Messaging and Presence Language Extensions) プロトコルを好適に採用することができる。ただし、SIMPLE以外の、例えば独自プロトコルであっても、本発明を実施することができる。
【００２７】
かかるＩＭ技術が組み込まれた画像形成装置１０の動作について、図２の通信シーケンス図を参照して説明する。
【００２８】
画像形成装置１０におけるプレゼンス情報取得部７３は、同装置の電源起動時に、プレゼンスサーバ（中継サーバ）６９に対してSUBSCRIBEコマンドを送信することにより、予めアドレス帳に登録されている登録宛先に係る現在状況（プレゼンス情報）の開示を求める。この際に、同装置１０が属するネットワーク６７に所属している端末全ての現在状況（プレゼンス情報）の開示を求めるように構成することもできる。
【００２９】
一方、クライアント端末７０，７１は、電源起動時に、プレゼンスサーバ（中継サーバ）６９に対してREGISTERコマンド送信することにより、自機の登録を行う。また、自端末の現在状況（プレゼンス情報）が変わる度毎にNOTIFYコマンドをプレゼンスサーバ（中継サーバ）６９宛に送信する。これにより、プレゼンスサーバ（中継サーバ）６９は、自身が属するネットワーク６７に所属している全ての端末に係る現在状況（プレゼンス情報）をリアルタイムで把握することができる。
【００３０】
画像形成装置１０におけるプレゼンス情報取得部７３は、プレゼンスサーバ（中継サーバ）６９からNOTIFYコマンドを受け取ることで、クライアント端末７０，７１に係るリアルタイムの現在状況（プレゼンス情報）を取得する。表示制御部７７は、こうして取得したクライアント端末７０，７１に係るリアルタイムの現在状況（プレゼンス情報）を、例えば図３に示すように、アドレス帳における該当宛先に関連付けてタッチパネル部５３の表示画面７９上にアイコンや文字の態様で表示させることを通じて、宛先端末のプレゼンス情報をユーザに報知する。具体的には、宛先端末が本サービス機能に対応しており、電源オンであって、かつ、通信可能状態にあるときには、宛先端末のプレゼンス情報として「ＯＫ」を表示し、宛先端末が本サービス機能に対応しており、電源オンであって、かつ、通信不能状態にあるときには、宛先端末のプレゼンス情報として「故障（例えば、用紙切れ、紙詰まり、トナーなし等）」を表示し、宛先端末が本サービス機能に未対応であるか、或いは電源オフであるときには、宛先端末のプレゼンス情報として「？（不明）」を表示する。
【００３１】
［実施例の効果］
実施例に係る画像形成装置１０によれば、表示制御部７７は、プレゼンス情報取得部７３によってアドレス帳の登録宛先に係るプレゼンス情報が取得されたとき、当該取得された登録宛先に係るプレゼンス情報を、アドレス帳の登録宛先のうち該当する宛先に関連付けてタッチパネル部５３の表示画面上に表示させるので、従って、ユーザは、アドレス帳機能を用いて通信を行う際において、所定の通信手順に先立って、アドレス帳上の登録宛先のうち該当する宛先に関連付けて表示されたプレゼンス情報を視ることで、登録宛先における現在の状況を一見して容易に把握することができる。
【００３２】
［その他］
本発明は、上述した実施例に限られるものではなく、請求の範囲及び明細書全体から読み取れる発明の要旨、あるいは技術思想に反しない範囲で適宜変更可能であり、そのような変更を伴う通信装置及び画像形成装置もまた、本発明における技術的範囲の射程に包含されるものである。
【００３３】
すなわち、本発明の実施例において、画像形成装置１０とクライアント端末７０，７１（登録宛先）との間で、プレゼンスサーバ（中継サーバ）を介して間接的に通信を行うことにより、登録宛先におけるプレゼンス情報を取得する態様を例示して説明したが、本発明はかかる実施例に限定されるものではなく、例えば、プレゼンスサーバ（中継サーバ）を介することなく、画像形成装置１０とクライアント端末７０，７１（登録宛先）との間で直接通信を行うことにより、登録宛先における現在の状況に係るプレゼンス情報を取得するように構成してもよい。
【００３４】
また、本発明の実施例において、画像形成装置１０の起動時、又は登録宛先における現在の状況が変化した時に、登録宛先におけるプレゼンス情報を取得する態様を例示して説明したが、本発明はかかる実施例に限定されるものではなく、例えば、間欠的な時間タイミングで登録宛先におけるプレゼンス情報を取得してもよいし、これらの１又は２以上の組み合わせに係る時点をもって、プレゼンス情報を取得する態様を採用することができることはいうまでもない。
【図面の簡単な説明】
【００３５】
【図１】本発明に係る通信装置が搭載された画像形成装置の概略ブロック図である。
【図２】本発明に係る通信装置が搭載された画像形成装置の通信シーケンス図である。
【図３】アドレス帳への登録宛先に係るプレゼンス情報表示例を示す図である。
【符号の説明】
【００３６】
１０  画像形成装置
１１  主制御部
５３  タッチパネル部（表示手段）
６５  ＩＰ通信部（ＩＰ通信機能）
６９  プレゼンスサーバ（中継サーバ）
７０，７１  クライアント端末（登録宛先）
７３  プレゼンス情報取得部（プレゼンス情報取得手段）
７５  アドレス情報記憶部（アドレス帳機能）
７７  表示制御部（表示制御手段）
【図１】
2008252505.tif 000003
【図２】
2008252505.tif 000004
【図３】
2008252505.tif 000005